(57)【要約】【課題】監視カメラで発生したイベントの頻度を閲覧、参照することが可能となる監視システムを提供することである。【解決手段】本発明に係る管理システムは、監視カメラからの映像に関連する事象の発生を検知する検知手段と、検知した事象に伴った映像を記憶する映像記憶手段と、検知した事象の発生回数と発生時刻とを含む検知情報を取得する取得手段と、前記検知情報に基づいて、事象の発生頻度を示す頻度表を作成する頻度表作成手段と、前記頻度表を表示する表示手段とを備える。【選択図】  図１
2004266623.tif 000002
【特許請求の範囲】
【請求項１】
監視カメラからの映像に関連する事象の発生を検知する検知手段と、
検知した事象に伴った映像を記憶する映像記憶手段と、
検知した事象の発生回数と発生時刻とを含む検知情報を取得する取得手段と、前記検知情報に基づいて、事象の発生頻度を示す頻度表を作成する頻度表作成手段と、
前記頻度表を表示する表示手段とを備える監視カメラ管理システム。
【請求項２】
頻度表作成手段は、事象の発生頻度と発生時間との関係を示す情報を作成する手段を更に備える請求項１に記載の監視カメラ管理システム。
【請求項３】
複数の監視カメラからの映像と複数の監視カメラに関する頻度表とを一覧表示する一覧表示手段を更に備える請求項１または２に記載の監視カメラ管理システム。
【請求項４】
監視カメラからの映像を取得するステップと、
前記映像に関連する事象の発生を検知するステップと、
検知した事象に伴った映像を記憶するステップと、
検知した事象の発生回数と発生時刻を含む検知情報を取得するステップと、
前記検知情報に基づいて、事象の発生頻度を示す頻度表を作成するステップと、
前記頻度表を表示するステップとを実行させる監視カメラ管理方法。
【請求項５】
監視カメラの映像を管理するコンピュータによって実行されるプログラムであって、
前記映像に関連する検知された事象の発生回数と発生時刻を含む検知情報を取得するステップと、
前記検知情報に基づいて、事象の発生頻度を示す頻度表を作成するステップと、
頻度表に関する情報をネットワークを介して表示端末に送信するステップとを実行させるプログラム。
【発明の詳細な説明】
【０００１】
【発明の属する技術分野】
本発明は、監視カメラの映像を管理する技術に関する。
【０００２】
【従来の技術】
近年、犯罪や事故を未然に防止したり、交通量を調査したりすることを目的とした監視カメラの利用が増加している。
【０００３】
監視カメラを利用した監視システムとして、例えば、物体の移動など特定の事象の発生によって、監視カメラの映像を自動で録画し、その映像を再生するシステムが提供されている。
【０００４】
しかしながら、このようなシステムにおいて、録画した映像を再生する場合、録画した映像から事象の発生を人手によって検出しなければならなかった。
【０００５】
このような従来技術として、監視対象となる場所に生ずるさまざまな監視イベントを検出し、そのイベントの種類に応じて映像を分類・整理して蓄積し、ユーザが閲覧・検索する際に要する時間を大幅に短縮するインターフェイスを備えた画像記憶装置が提案されている（特許文献１参照。）。
【特許文献１】
特開２０００−２２４５４２号公報（要約書）
【０００６】
【発明が解決しようとする課題】
しかしながら、このような従来技術においては、監視イベント情報の有無や強度（例えば、フレーム差分値など）の時間変化をグラフとして表示している。そのため、監視カメラで発生したイベントの頻度を一覧して参照することができず、単位時間内での監視イベント発生の傾向や、異常イベントの発生を解析することは困難であった。
【０００７】
本発明は、このような従来技術の問題に鑑みてなされたものである。すなわち、本発明が解決しようとする課題は、監視カメラで発生したイベントの頻度を閲覧、参照することが可能となる監視システムを提供することである。
【０００８】
【課題を解決するための手段】
本発明は、上記課題を解決するために以下の手段を採用した。
【０００９】
本発明に係る監視カメラ管理システムは、監視カメラからの映像に関連する事象の発生を検知する検知手段と、検知した事象に伴った映像を記憶する映像記憶手段と、検知した事象の発生回数と発生時刻とを含む検知情報を取得する取得手段と、前記検知情報に基づいて、事象の発生頻度を示す頻度表を作成する頻度表作成手段と、前記頻度表を表示する表示手段とを備える。
【００１０】
このような構成にすることにより、監視カメラで発生した事象の頻度を閲覧、参照することが可能となる。そのため、監視者は、単位時間内での監視イベント発生の傾向や、異常イベントの発生を容易に解析できる。そして、監視効率の向上が図れる。
【００１１】
また、本発明に係る監視カメラ管理システムは、前記頻度表作成手段が事象の発生頻度と発生時間との関係を示す情報を作成する手段と、複数の監視カメラからの映像と複数の監視カメラに関する頻度表とを一覧表示する一覧表示手段と、監視カメラの録画映像を制御する制御手段と、監視カメラが撮影するライブ映像を表示するライブ映像表示手段とを更に備えてもよい。
【００１２】
このような構成にすることにより、録画した映像を再生する場合、特定の事象が発生した頻度を表示したり、録画した映像の時間を表示したり、その時間帯について頭出し再生をしたりできる。このようにして、録画された監視カメラの映像を閲覧する監視者に対してビジュアルな操作を提供することができる。
【００１３】
その結果、監視者は、どの時刻に特定の事象が発生し、映像が録画されたかを瞬時に認識することができる。そして、監視者が異常を検知するために録画された画像を再生するとき、監視者は特定の事象が発生したことを認識できるため短時間で検知処理を実行することができる。このようにして、高度監視体制が構築可能となる。
【００１４】
また、本発明はコンピュータに以上のいずれかの機能を実現させるプログラムであってもよい。また、そのようなプログラムを読み取り可能な記憶媒体、例えばパソコン端末やサーバ等の記録媒体に記憶したものであってもよい。
【００１５】
【発明の実施の形態】
以下に図１から図６を参照にして、本発明の好適な実施の形態を説明する。図１は監視システムの構成図であり、図２は動的検知データを示す図である。この動的検知データは、図１に示した監視端末に動的検知情報を表示するため監視サーバ１０４に記憶される。図３は監視端末の表示画面を示す図であり、図４は監視サーバ１０４が実行する検知処理を示す図であり、図５は監視端末の表示画面の遷移例を示す図であり、図６は監視端末が実行する操作処理のフローを示す図である。
＜システム構成図＞
図１を参照して、本発明の監視システムの構成を説明する。
【００１６】
本監視システムは、屋外または屋内の監視カメラ１０１、カメラ映像制御部１０２、映像録画サーバ１０３、監視サーバ１０４、及び監視端末１０５を含む。
【００１７】
監視カメラ１０１は、屋外または屋内の監視をする場所に設置される。ここで、撮影された映像は、映像信号としてカメラ映像制御部１０２に入力される。そして、カメラ映像制御部１０２で処理された映像信号は、ネットワークを介して、映像録画サーバ１０３、監視サーバ１０４、及び監視端末１０５に送信される。
【００１８】
カメラ映像制御部１０２は、映像Ａ／Ｄ変換器１０６、動的検知部１０７、及び映像録画部１０８を含む。カメラ映像制御部１０２は、監視カメラから入力された映像信号から動的検知情報を生成するとともに、この動的検知情報に従って検知された映像を監視映像として記憶する。ここで、動的検知とは、監視カメラが監視をしている範囲において、物体の移動を自動的に検出することをいう。この範囲は、監視カメラが撮影するフレーム全体であってもよいし、フレーム内で監視者によって特定された箇所であってもよい。
【００１９】
また、動的検知情報とは、移動体を検知した時刻や時間帯を含む情報である。
【００２０】
監視カメラ１０１から入力された映像信号はアナログ信号であるため、映像Ａ／Ｄ変換器１０６は、この映像信号をデジタル信号に変換する。
【００２１】
そして、動的検知部１０７は、移動体を検知して、動的検知情報を取得する。また、動的検知部１０７は、取得した動的検知情報とその情報に応じた画像とを映像録画部１０８に記憶する。
【００２２】
ここで、動的検知情報の取得方法を簡単に説明する。
【００２３】
まず、デジタル信号に変換された映像信号は、フレーム画像として揮発性の記憶装置（図示せず）に記憶される。そして、フレーム画像から移動体の存在しない画像を背景画像として設定する。背景画像の設定方法としては、監視者によって、移動体の存在しない画面を背景画像として予め選択させることができる。あるいは、夜間の監視など通常時に移動体が存在しないような場合には、監視時間開始時の画像を背景画像として設定することもできる。
【００２４】
そして、この背景画像を基にして、最新の画像との間で画像の相違度を計算する。相違度の計算は、例えば、対応する位置の各画像の明るさやＲＧＢ値の差分二乗和として求めることができる。
【００２５】
このようにして、動的検知部１０７は、移動体の存在しない画像を背景画像として設定し、最新の画像と背景画像との差をとることにより、移動体を検知できる。この最新の画像と背景画像との差を背景差分という。
【００２６】
そして、移動体を検知した時刻とその時刻におけるフレーム画像を選択して映像録画部１０８に記憶する。この場合、移動体を検知した時刻の数分前からのフレーム画像を記憶することが望ましい。つまり、カメラ映像制御部１０２は、移動体を検出したとき、揮発性の記憶装置に記憶されたフレーム画像の中から、移動体を検出したフレーム画像の数分前のフレーム画像から映像録画部１０８に記憶する。そのため、カメラ映像制御部１０２は、数分後のフレーム画像で移動体が検出された場合に備えて、背景画像と比較し終わったフレーム映像をすぐに消去せずに、しばらくは記憶する。
【００２７】
また、カメラ映像制御部１０２は、移動体を検知するとともに、移動体を検知したときの時刻とその時間帯とを動的検知情報として取得する。
【００２８】
ここでは、移動体を検知する方法として、背景差分を利用した方法を説明したが、センサーを用いたり、その他の検知方法であってもよい。すなわち、カメラ映像制御部１０２では、移動体を自動的に検知して動的検知情報を生成するとともに、この動的検知情報に対応する映像を記録することができればよい。
【００２９】
そして、カメラ映像制御部１０２は、動的検知部１０７で生成された動的検知情報を監視サーバ１０４に送信する一方で、動的検知情報に対応する映像を映像録画サーバ１０３に送信する。
【００３０】
また、カメラ映像制御部１０２は、監視サーバ１０４からの指示によって、リアルタイムの映像をライブ映像として、監視端末１０５に伝達することもできる。
【００３１】
映像録画サーバ１０３は、カメラ監視部１０２から監視映像を受信し、記憶する。この記憶される監視映像は、移動体が検知された数分前からの映像が望ましい。このようにすることにより、移動体が検知されていない映像を記憶しないため、映像録画サーバ１０３の記憶容量を減らすことができる。また、映像録画サーバ１０３は、監視サーバ１０４からの指示により、要求された監視映像を監視端末１０５に送信する。
【００３２】
監視サーバ１０４は、動的検知情報を管理するとともに、監視システム全体を管理する。
【００３３】
例えば、監視サーバ１０４は、カメラ映像制御部１０２から送られる動的検知情報を基に、動的検知頻度を算出したり、予め設定された基準値に従い動的検知頻度を色分けして監視端末１０５上に表示させたりする。ここで、動的検知頻度とは、所定の時間帯における動的検知回数である。また、監視サーバ１０４は、監視端末１０５からの指示を受けて、動的検知頻度を表示するための情報を監視端末１０５に送信したり、録画された監視映像とリアルタイム映像とを切り替えたり、監視システム全体を管理する。
【００３４】
なお、本実施の形態では、検知回数による監視端末上の色分け表示を、図２に示すように色に代えてパターンで表す。例えば、赤色での表示に代えてパターンＡを代用し、橙色での表示に代えてパターンＢを代用し、桃色での表示に代えてパターンＣを代用する。
【００３５】
監視端末１０５は、例えば、監視場所が屋内の場合には館内センサーに連動するカメラ映像を表示したり、館内状態を表示したり、監視者からの入力に基づいて監視映像を表示する。また、監視端末１０５は、監視サーバ１０４から動的検知頻度を表示するための情報を取得して、動的検知頻度などを表示する。
＜検知処理＞
図２を参照して、動的検知データについて説明する。
【００３６】
動的検知データは、建家番号２０１、監視カメラ番号２０２、検知時間帯２０３、時間帯内の許容回数２０４、検知回数２０５、録画２０６、アラーム通知２０７、備考２０８などを含むデータである。この動的検知データは、監視サーバ１０４に記憶され、監視端末１０５が動的検知頻度を表示するときに利用される。
【００３７】
建家番号２０１や監視カメラ番２０２は、監視カメラの設置場所を表す。検知時間帯２０３や時間帯内の許容回数２０４は、検知を実行する時間帯とその時間帯における許容回数である。この許容回数は動的検知頻度を色分け表示する際の基準値である。検知回数２０５の欄には、移動体が検知された回数である検知回数とともに、色分け表示のための情報を記憶してもよい。例えば、監視カメラ番号１−１−１では時間帯許容回数は「０」であって、検知回数は「８」である。この検知回数の場合には、監視端末上の色分け表示を赤色（パターンＡ）で表示するため、検知回数２０５の欄には、色分け表示のための情報「多数」も記憶する。この色分け表示の分類方法は、監視者によって、予め設定された回数と表示種別（色）との対応表（図示せず）に従って分類することができる。
【００３８】
録画２０６やアラーム通知２０７は、監視映像を録画するか、またアラーム通知を実行するかが設定される。例えば、交通調査など監視場所での移動体の検知回数に関する情報だけが必要な場合、監視映像を録画する必要はないし、検知回数に応じてアラームを通知する必要もない。このような場合には、録画２０６やアラーム通知２０７は無効とする。さらに、備考２０８には、監視カメラの具体的な設置場所を記憶してもよい。
【００３９】
図３を参照して、監視端末の表示画面３００について説明する。この表示画面３００は、再生画面３０１、ライブ映像３０２、録画コントローラ３０３、動作スイッチ３０４、及び動的検知画面３０５から構成される。
【００４０】
再生画面３０１の例として、屋外および屋内に設置された９台のカメラの映像を示す。この映像は、映像録画サーバ１０３に記憶されている映像である。
【００４１】
そして、録画コントローラ３０３は上段に映像ボタン、日付ボタン、及び時間帯ボタンがあり、中段に最初ボタン、逆送りボタン、逆再生ボタン、再生ボタン、早送りボタン、及び最後ボタンがあり、下段に前画像ボタン、次画像ボタン、及び停止ボタンがある。
【００４２】
上段にある映像ボタン、日付ボタン、及び時間帯ボタンは再生画面３０１の切り替えを制御する。
【００４３】
監視者は、映像ボタンにより監視カメラ番号２０２を、日付ボタンにより録画された日付を、時間帯ボタンにより録画された時間帯を選択する。このことにより、監視者は再生画面３０１中に再生されている録画映像の中から、制御する録画映像を選択することができる。
【００４４】
中段にある最初ボタン、逆送りボタン、逆再生ボタン、再生ボタン、早送りボタン、及び最後ボタンや下段にある前画像ボタン、次画像ボタン、及び停止ボタンは録画映像を制御するためのボタンである。このようなボタンを利用した録画映像の制御は周知であるため、ここでは説明を省略する。
【００４５】
ライブ映像３０２の例として、監視カメラ番号１−１−１の映像を示す。ライブ映像３０２にはカメラボタンがある。そして、監視者は、図２に示す監視カメラ番号２０２を選択することによって所望の設置場所の監視カメラの映像をみることができる。このライブ映像とは監視カメラで撮影されているリアルタイムな映像である。
【００４６】
そして動作スイッチ３０４にはライブ画面ボタンと終了ボタンがある。監視者は、動作スイッチ３０４により、ライブ映像の表示や終了を制御する。
【００４７】
動的検知画面３０５は、それぞれの監視カメラ番号に関して、所定時間（例えば、１時間）当たりの検知回数が許容回数を超えた場合の検知回数を色分け表示する。なお、ここでは許容回数を越えた場合に色分け表示するが、許容回数を「０」に設定すれば、検知回数をそのまま色分け表示できる。
【００４８】
図４を参照して、検知処理の流れを説明する。
【００４９】
本フローは、動的検知エリアの設定から監視端末で検知回数による色分け表示までの処理フローである。
【００５０】
まず、監視端末１０５は、ユーザの入力に従って監視カメラ１０１の動的検知エリア、検知時間、検知許容回数、及び検知色分け回数を設定する（Ｓ４０１）。ここで、動的検知エリアとは移動体を検知する領域であり、監視カメラが撮影するフレーム全体であってもよいし、フレーム内の監視者によって特定された箇所であってもよい。一方、監視端末１０５からの入力に基づいて監視サーバ１０４は検知条件を設定する。
【００５１】
次に、処理は、監視カメラ１０１の動的検知時間まで待ち状態となる（Ｓ４０２）。
【００５２】
そして、動的検知時間になると監視カメラ１０１の動的検知を実行する（Ｓ４０３）。つまり、カメラ映像制御部１０２は、監視カメラ１０１で撮影された映像について動的検知を行う。この処理では、上述のようにカメラ映像制御部１０２が移動体を自動的に検知して動的検知情報を生成する。処理方法としては、背景差分を利用した方法であってもよいし、センサーを用いたりその他の検知方法であってもよい。
【００５３】
そして、監視サーバ１０４は、カウントを開始し、監視端末１０５に情報を送信する（Ｓ４０４）。監視カメラサーバ１０４は、カメラ映像制御部１０２で生成された動的検知情報を受信して、動的検知頻度を算出する。そして、監視サーバ１０４は、動的検知頻度を表示するための情報を監視端末１０５に送信する。
【００５４】
監視端末１０５はアラーム表示する（Ｓ４０５）。このアラーム表示は、監視場所における異常を監視者に通知するための表示である。ここで、異常とは動的検知回数が所定値を越えたことをいう。また、アラーム表示は、図２のアラーム通知２０７によって表示するか否かを設定できる。
【００５５】
次に、監視サーバ１０４は、動的検知回数が許容回数を超えた場合の処理を開始する（Ｓ４０６）。
【００５６】
まず、監視サーバ１０４は、動的検知回数分類に基づき、「多数」、「多い」、「許容回数」に分類する（Ｓ４０７）。管理サーバ１０４は、動的検知回数が許容回数を越えた場合、予め設定された回数と表示種別（色）との対応表（図示せず）に従って分類する。例えば、図２を再び参照すると監視カメラ番号１−１−１について、時間帯許容回数は「０」であり、イベントを検知した回数は「８」である。ここで、管理サーバ１０４は、動的検知回数が許容回数を越えたと判断する。そして、Ｓ４０１で設定した検知色分け回数に基づいて、検知回数を時間帯ごとに分類する。
【００５７】
そして、監視サーバ１０４は回数を管理する（Ｓ４０８）。監視サーバ１０４は動的検知頻度を表示するための情報を監視端末１０５に送信する。
【００５８】
この情報を受信して監視端末１０５は、モニタ上に動的検知回数を色分け表示する（Ｓ４０９）。つまり、監視端末１０５は、監視サーバからの情報を受信して、動的検知回数を色分け表示する。
＜操作処理＞
図５を参照して、監視端末１０５の表示画面３００の遷移例について説明する。
【００５９】
監視端末１０５の表示画面３００の遷移例とは、動的検知画面３０５の特定箇所を指定することによって、動的検知画面３０５の表示が変化したり、指定した時刻の再生画面３０１が再生画面３０１上に再生されることをいう。
【００６０】
例えば、動的検知画面３０５の監視カメラ番号１−１−１の１０時から１１時の時間帯を指定する（Ｓ５０１）と、１０時から１１時までの時間帯での動的検知頻度が５分間隔で表示される（Ｓ５０２）。
【００６１】
そして、２５分から３０分までの時間帯を指定する（Ｓ５０３）と、再生画面３０１の監視カメラ番号１−１−１の録画映像が指定した時刻１０時２５分から再生を開始される（Ｓ５０４）。
【００６２】
このときの指定方法として、表示画面３００上にカーソルを備え、カーソルを１０時から１１時までの時間帯上でダブルクリックすることによって指定できる。また、タッチパネル方式の画面を採用した場合には、画面上の１０時から１１時までの時間帯をタッチすることによって指定してもよい。
【００６３】
以下、図６を参照して、動的検知表示の操作処理の流れを説明する。
【００６４】
本フローは、監視端末１０５の画面上に表示される動的検知画面３０５に対し、検知頻度の高い時間帯を選択した場合に、録画された監視映像が再生画面３０１上に表示される操作フローである。
【００６５】
例えば、監視者は、カメラ番号１−１−１番の監視カメラによる検知において、監視端末モニタに表示される動的検知回数の高い時間帯１０時から１１時をクリックする（Ｓ６０１）。つまり、監視者が、監視端末１０５を介して、ある時間帯をクリックして指定することにより、表示処理が開始する。
【００６６】
そして、監視端末１０５は、モニタ上に１０時から１１時の時間帯の動的検知頻度を５分単位で表示する（Ｓ６０２）。
【００６７】
次に、監視者は、１０時から１１時の５分単位の時間帯の中で動的検知回数の高い時間帯２５分をクリックする（Ｓ６０３）。動的検知回数は予め設定された色分け表示から判断できる。本実施の形態では、色分け表示は図２のように設定される。そのため、赤色（パターンＡ）の表示が動的検知回数の高い表示である。従って、動的検知回数の高い時間帯は２５分から３０分である。ここでは、監視者は監視端末１０５を介して２５分から３０分まで時間帯をクリックする。
【００６８】
すると監視端末１０５は、映像録画サーバ１０３から該当する監視カメラ１−１−１の該当時間帯の映像を再生画面３０１上の所定領域１−１−１に表示する（Ｓ６０４）。つまり、１０時２５分からの録画映像が再生画面３０１に表示される。この録画映像は、録画コントローラ３０３によって制御できる。
【００６９】
次に、監視者は１０時から１１時の５分単位の時間帯の中で動的検知回数の高い時間帯５０分をクリックする（Ｓ６０５）。ここでは、監視者は監視端末１０５を介して５０分から５５分まで時間帯をクリックする。
【００７０】
すると監視端末１０５は、映像録画サーバ１０３から該当する監視カメラの該当時間帯の映像を再生画面３０１上の所定領域１−１−１に表示する（Ｓ６０６）。つまり、１０時２５分からの録画映像が再生画面３０１に表示される。この録画映像も、録画コントローラ３０３によって制御できる。
【００７１】
以上述べたように、本監視システムによれば、動的検知によるイベントの検出回数を時間帯ごとに集計することができる。そして、集計結果を色やパターンで分類して表示できる。そのため、監視者は、この表示に従いイベントの発生頻度の高い時間帯や場所を容易に特定できる。
【００７２】
本監視システムによれば、映像録画サーバ１０３が記憶する監視映像は、移動体が検知された数分前からの映像である。そのため、移動体が検知されていない映像を記憶しないため、映像録画サーバ１０３の記憶容量を減らすことができる。
【００７３】
本実施の形態では、動的検知として、物体の移動を検出したが、背景構造変化の有無、照明変化の有無などをそれぞれ検知対象として検出してもよい。
【００７４】
また、動的検知方法として、特開平８−２２１５７７号公報「移動体物体検出・抽出装置」に公開されている手法により、サンプリング時刻時の入力画像と過去に録画した画像間の相違度から検出してもよい。
【００７５】
また、映像録画部１０８に記憶される映像を、移動体が検知された数分前からの映像としたが、検知時間における全ての映像を録画してもよい。
【００７６】
また本実施の形態では、監視サーバ１０４は、カメラ映像制御部１０２から送られる動的検知情報を基に、動的検知頻度を算出したり、予め設定された基準値に従い動的検知頻度を色分けしたりして、動的検知頻度を表示するための情報を監視端末１０５に送信した。そして、監視端末１０５は、動的検知頻度を表示するための情報を受信して、動的検知頻度をモニタ上に表示した。しかしながら、監視端末１０５が、動的検知情報をもとに、動的検知頻度を算出したり、予め設定された基準値に従い動的検知頻度を色分けしたりして、動的検知頻度をモニタ上に表示してもよい。
【００７７】
また本実施の形態では、図２に示すようにカメラ制御部１０２と映像録画サーバ１０３と監視サーバ１０４と監視端末１０５とにおいて、それぞれの処理を実行したが、それらの処理を一つの装置で実行してもよい。
＜コンピュータ読み取り可能な記憶媒体＞
上記実施の形態のいずれかの処理をコンピュータに実行させるプログラムをコンピュータが読み取り可能な記憶媒体に記録することができる。そして、コンピュータに、この記憶媒体のプログラムを読み込ませて実行させることにより、上記実施の形態に示したシステムを提供することができる。
【００７８】
ここで、コンピュータが読み取り可能な記憶媒体とは、データやプログラム等の情報を電気的、磁気的、光学的、機械的、または化学的作用によって蓄積し、コンピュータから読み取ることができる記憶媒体をいう。このような記憶媒体のうちコンピュータから取り外し可能なものとしては、例えばフレキシブルディスク、光磁気ディスク、ＣＤ−ＲＯＭ、ＣＤ−Ｒ／Ｗ、ＤＶＤ、ＤＡＴ、８ｍｍテープ、メモリカード等がある。
【００７９】
また、コンピュータに固定された記録媒体として、ハードディスクやＲＯＭ（リード・オンリー・メモリ）等がある。
【００８０】
なお、上記実施の形態は本発明の範囲をなんら限定するものではなく、当業者が理解できる範囲において適宜、各種の変形の態様があり得る。
＜その他＞
さらに、本実施の形態は以下の発明を開示する。
【００８１】
（付記１）監視カメラからの映像に関連する事象の発生を検知する検知手段と、
検知した事象に伴った映像を記憶する映像記憶手段と、
検知した事象の発生回数と発生時刻とを含む検知情報を取得する取得手段と、前記検知情報に基づいて、事象の発生頻度を示す頻度表を作成する頻度表作成手段と、
前記頻度表を表示する表示手段とを備える監視カメラ管理システム。
【００８２】
（付記２）頻度表作成手段は、事象の発生頻度と発生時間との関係を示す情報を作成する手段を更に備える付記１に記載の監視カメラ管理システム。
【００８３】
（付記３）複数の監視カメラからの映像と複数の監視カメラに関する頻度表とを一覧表示する一覧表示手段を更に備える付記１または２に記載の監視カメラ管理システム。
【００８４】
（付記４）監視カメラの録画映像を制御する制御手段を更に備える付記１乃至３のいずれかに記載の監視カメラ管理システム。
【００８５】
（付記５）監視カメラが撮影するライブ映像を表示するライブ映像表示手段を更に備える付記１乃至４のいずれかに記載の監視カメラ管理システム。
【００８６】
（付記６）監視カメラからの映像を取得するステップと、
前記映像に関連する事象の発生を検知するステップと、
検知した事象の発生回数と発生時刻を含む検知情報を取得するステップと、
前記検知情報に基づいて、事象の発生頻度を示す頻度表を作成するステップと、
前記頻度表を表示するステップとを実行させる監視カメラ管理方法。
【００８７】
（付記７）監視カメラからの映像を取得するステップと、
前記映像に関連する事象の発生を検知するステップと、
検知した事象の発生回数と発生時刻を含む検知情報を取得するステップと、
前記検知情報に基づいて、事象の発生頻度を示す頻度表を作成するステップと、
前記頻度表を表示するステップとをコンピュータによって実行させるプログラム。
【００８８】
（付記８）監視カメラの映像を管理するサーバであって、
前記映像に関連する検知された事象の発生回数と発生時刻を含む検知情報を取得する手段と、
前記検知情報に基づいて、事象の発生頻度を示す頻度表を作成する手段と、
頻度表に関する情報をネットワークを介して表示端末に送信する手段とを備えるサーバ。
【００８９】
（付記９）監視カメラの映像を管理するサーバにおいて実行される監視カメラ管理方法であって、
前記映像に関連する検知された事象の発生回数と発生時刻を含む検知情報を取得するステップと、
前記検知情報に基づいて、事象の発生頻度を示す頻度表を作成するステップと、
頻度表に関する情報をネットワークを介して表示端末に送信するステップとを実行させる方法。
【００９０】
（付記１０）監視カメラの映像を管理するコンピュータによって実行されるプログラムであって、
前記映像に関連する検知された事象の発生回数と発生時刻を含む検知情報を取得するステップと、
前記検知情報に基づいて、事象の発生頻度を示す頻度表を作成するステップと、
頻度表に関する情報をネットワークを介して表示端末に送信するステップとを実行させるプログラム。
【００９１】
【発明の効果】
以上で説明したように、本発明は、監視カメラで発生したイベントの頻度を閲覧、参照することが可能となるため監視効率の向上が図れる。
【図面の簡単な説明】
【図１】システム構成図である。
【図２】動的検知データを示す図である。
【図３】監視端末表示画面を示す図である。
【図４】検知処理のフローを示す図である。
【図５】監視端末表示画面の遷移例を示す図である。
【図６】操作処理のフローを示す図である。
【符号の説明】
１０１…監視カメラ
１０２…カメラ映像制御部
１０３…映像録画カメラ
１０４…監視サーバ
１０５…監視端末
１０６…映像Ａ／Ｄ変換器
１０７…動的検知部
１０８…映像録画部
３００…監視端末の表示画面
３０１…再生画面
３０２…ライブ画面
３０３…録画コントローラ
３０４…動作スイッチ
３０５…動的検知画面
【図１】
2004266623.tif 000003
【図２】
2004266623.tif 000004
【図３】
2004266623.tif 000005
【図４】
2004266623.tif 000006
【図５】
2004266623.tif 000007
【図６】
2004266623.tif 000008